(57)【要約】      （修正有）【課題】老人、病人、幼児等が使用でき、安全性を高めた椀を提供する。【解決手段】椀本体１の側部に持ち手２を設けることによって、持ち手２を把持させ、非力な者でも椀を確実に保持できる様にする。【選択図】図１  
0003110107.tif 000002
【実用新案登録請求の範囲】
【請求項１】
椀本体の側部に持ち手を設けたことを特徴とする椀。
【請求項２】
持ち手を一対とし、両持ち手を互いの対向位置に設けたことを特徴とする請求項１記載
の椀。
【請求項３】
椀本体の側面に突帯を周設して、該突帯上に持ち手を設けたことを特徴とする請求項１
又は２記載の椀。
【請求項４】
上記突帯を椀本体側面の上端側に設け、持ち手は先端下向きの鉤状とし、該持ち手の基
端を突帯上に設けたことを特徴とする請求項３記載の椀。
【請求項５】
椀本体の側面に段差を設けることにより、椀本体を胴部と、該胴部の下端に続き前記胴
部よりも径小の縮径部とから成し、かかる胴部の上端開口部と、胴部下端の径を略同寸と
し、胴部に持ち手を設けたことを特徴とする請求項１又は２記載の椀。
【請求項６】
上記段差を椀本体側面の上端側に設け、持ち手は先端下向きの鉤状とし、該持ち手の基
端を胴部に設けたことを特徴とする請求項５記載の椀。
【請求項７】
漆塗りにより、化粧を施したことを特徴とする請求項１、２、３、４、５又は６記載の
椀。
【考案の詳細な説明】
【技術分野】
【０００１】
本考案は、老人、病人、幼児等の非力な者でも安全に使用可能な椀に関する。
【背景技術】
【０００２】
日本の食文化において、汁椀が果たして来た役割は重要で、料理を引き立て、より美味
しく、また楽しく食事をさせるべく、椀の形状、色彩、模様に工夫を凝らし、御膳を華美
に飾ることで、酒宴等の席を演出してきた。
なかでも、漆塗りの椀は、その柔和で深みのある色艶、並びに、螺鈿、金絵付け等の伝
統的装飾技法により、日本古来の伝統美を継承してきた。
一方、近年ではより気軽に利用できる様に、プラスチック製の椀が主流となり、一般家
庭の他、料亭やレストラン等の外食産業の店舗、老人ホーム、病院等においても、広く使
用されている。
【考案の開示】
【考案が解決しようとする課題】
【０００３】
ところが、社会の高齢化に伴い、安全性についても、求められる様になった。
なぜなら、老人は一般的に握力低下により、手先の自由がおぼつかなく、例えば椀の蓋
を取り外す際、椀から手を滑らせ、椀中の熱い汁をこぼしてしまい、火傷を負う危険性が
あった。
又、健常者や若年者層においても、程度は低いと云えども、上記の場合と同様の危険性
が有ることには変わらなかった。
【課題を解決するための手段】
【０００４】
本考案は、上記課題に鑑み、椀本体の側部に持ち手を設けることによって、持ち手を把
持させ、非力な者でも椀を確実に保持できる様にして、上記課題を解決する。
【考案の効果】
【０００５】
要するに本考案は、椀本体の側部に持ち手を設けたので、健常者は勿論、老人、病人、
幼児等の非力な者であっても、椀を確実に保持でき、蓋を取り外す際に、力を加え易く、
また手が滑らないことから、椀の中身をこぼさず容易に蓋を取り外すことが出来、また口
元に運ぶ際も、持ち手に指を掛けているため、落下を防止することが出来る。
従って、椀の中の熱い汁をこぼして火傷を負う危険性が低く、安全に食事をさせること
が出来る。
【０００６】
持ち手を一対としたので、両手で持ち手を把持でき、両持ち手を互いの対向位置に設け
たので、バランス良く持ち上げさせ、安全性を更に高めることが出来る。
【０００７】
椀本体の側面に突帯を周設して、該突帯上に持ち手を設けたり、また椀本体の側面に段
差を設けることにより、椀本体を胴部と、該胴部の下端に続き前記胴部よりも径小の縮径
部とから成し、かかる胴部の上端開口部と、胴部下端の径を略同寸とし、胴部に持ち手を
設けたので、複数個の椀を積み重ねる際に、上に積み重ねた椀の突帯下端または胴部下端
が、下側椀の突帯上端または胴部の上端である開口部に当接することから、椀の座りが良
く、積み重ねの列を安定させることが出来る。
【０００８】
持ち手を先端下向きの鉤状、即ち上下逆さの「し」の字形とし、該持ち手の基端を、椀
本体側面の上端側に設けた突帯上は胴部に設けたので、積み重ねの際、各椀毎に持ち手の
位置をずらせば、持ち手は互いに緩衝せず、下側椀に上側椀を深く挿入して、椀を低く積
み重ねることが出来、嵩張らずに、不使用時の収納性を高くすることが出来る。
【０００９】
漆を塗ることによって、化粧を施したので、洋式または中華のカップとは異なる趣を醸
し出して、外食産業の店舗等では日本風の情緒を演出することが出来る。
又、病院、老人ホーム等で長期入院、生活している老人らはストレスが溜まりがちであ
るが、この様な老人に使用させれば、安全に日本情緒を満喫させて、心を和ませてあげる
ことが出来る等その実用的効果甚だ大である。
【考案を実施するための最良の形態】
【００１０】
以下本考案の一実施例について図面に基づき説明する。
図１に示す様に、本考案の椀は、基本的には椀本体１の側部に持ち手２を設けたもので
ある。
図２に示す様に、持ち手２を一対とし、両持ち手２、2aを互いの対向位置に設けても良
い。
又、図３に示す様に、椀本体１の側面に突帯３を周設して、突帯３上に持ち手２を設け
ても良く、本実施例のものにあっては、突帯３は椀本体１における側面の上端側に設けら
れ、持ち手２は先端下向きの鉤状とし、持ち手２の基端は突帯３上に設けられている。
又、図５に示す様に、椀本体１の側面に段差を設け、これにより、椀本体１を、胴部４
と、胴部４の下端に続き胴部４より径小の縮径部５とから成し、かかる胴部４の上端（開
口部）と、胴部４の下端の径を略同寸とし、胴部４に持ち手２を設けても良く、本実施例
のものにあっては、上記段差は椀本体１における側面の下端寄りの位置に設けられ、持ち
手２は先端下向きの鉤状とし、該持ち手２の基端を胴部４の上端付近に設けている。
尚、持ち手２を上下逆向きの「し」の字形とし、滑らかに湾曲させることで、持ち手２
を椀の柔和な美観に調和させる様にしている。
【００１１】
突帯３及び段差の位置は適宜であるが、図４及び６に示す様に、積み重ねの際、上側椀
の突帯３（又は胴部４）の下端を、下側椀の突帯３（又は胴部４）の上端に当接させて、
積み重ねるから、突帯３（又は段差）を椀本体１の上端又はその付近に設けることで、椀
は深く積み重ねられる。
又、鉤状の持ち手２は、その下部が椀本体１の側面から離隔していることから、積み重
ねの際、各椀の持ち手２の位置をずらせば、上側椀の持ち手２と椀本体１との間に、下側
椀の椀本体１の上部側が納まるため、持ち手２が邪魔にならない。
【００１２】
椀の素材としては、木材、プラスチックなど従前より椀に使用されている素材で良く、
また着色し、柄付けにより表面装飾する等化粧は適宜であり、勿論漆により化粧を施す様
にしても良い。
【図面の簡単な説明】
【００１３】
【図１】本考案に係る椀の斜視図である。
【図２】一対の持ち手を設けた椀の斜視図である。
【図３】椀本体に突帯を設けた椀の斜視図である。
【図４】同上椀の積み重ね状態を示す斜視図である。
【図５】椀本体を胴部と縮径部とから成した椀の斜視図である。
【図６】同上椀の積み重ね状態を示す斜視図である。
【符号の説明】
【００１４】
１  椀本体
２  持ち手
３  突帯
４  胴部
５  縮径部
【図１】
0003110107.tif 000003
【図２】
0003110107.tif 000004
【図３】
0003110107.tif 000005
【図４】
0003110107.tif 000006
【図５】
0003110107.tif 000007
【図６】
0003110107.tif 000008